(57)【要約】【課題】一種の携帯式装置複合電気供給システムを提供すること。【解決手段】特に一種の太陽エネルギー及び一般のバッテリーより電気を取込む複合電気供給システムの入力インターフェースとＵＳＢ電気出力インターフェースを含め、電気バックアップ用充電池を備えた多重電源伝送インターフェースに許容応用可能な電気供給システムにより、携帯式装置に電源を提供できる。【選択図】図１
2009523399.tif 000002
【特許請求の範囲】
【請求項１】
複合電気供給単元を有し、携帯式装置の必要電源を提供し、
ＵＳＢ出力ポートは、該電気供給システムから携帯式装置への電気出力ポートであり、
整流回路は、該電気供給システムの入出力電流の整合を提供し、該ＵＳＢ出力ポートから該携帯式装置の出電流を所定電圧に調節し、該整流回路は充電制御単元を含め、直流電源の制御を行うと共に、該補助電気単元に充電し、過放電制御単元は、該直流電源が所定の安全値を下回るときに、該補助電気単元の放電を中断させ、変圧単元は、直流電源を所定値に調整及び出力し、電圧調整効果を形成し、
太陽エネルギー単元を、該整流回路に接続し、該電気供給システムに太陽エネルギーを電気エネルギーに変換する機能単元を提供し、
電気伝送単元を、該整流回路に接続し、該電気供給システム内部の電流伝送機能単元に提供し、
補助電気単元を、該電気伝送単元に接続し、電気を該電気伝送単元に出力して、補助電気を提供することを特徴とする一種の携帯式装置複合電気供給システム。
【請求項２】
該ＵＳＢ出力ポートは、いずれのユニーバーサールシリアルバス（Ｕｎｉｖｅｒｓａｌ  Ｓｅｒｉａｌ  Ｂｕｓ，  ＵＳＢ）に許容する伝送インターフェースを介して、電気を出力することを特徴とする請求項１記載の携帯式装置複合電気供給システム。
【請求項３】
該所定の出力電圧は設計者の設定によることを特徴とする請求項１記載の携帯式装置複合電気供給システム。
【請求項４】
該太陽エネルギー単元は太陽電池であることを特徴とする請求項１記載の携帯式装置複合電気供給システム。
【請求項５】
該整流回路は、該太陽エネルギー単元が受け入れる電圧は該ＵＳＢ出力ポートの該所定の出力電圧を下回るとき、該補助電気単元の電気を取込み、該所定の出力電圧を補うことを特徴とする請求項１記載の携帯式装置複合電気供給システム。
【請求項６】
該電源伝送単元は放電電極であることを特徴とする請求項５記載の携帯式装置複合電気供給システム。
【請求項７】
該補助電気単元は放電電池であることを特徴とする請求項５記載の携帯式装置複合電気供給システム。
【請求項８】
該整流回路は、該太陽エネルギー単元が受け入れる電圧は該ＵＳＢ出力ポートの該所定の出力電圧を上回るとき、該電気を該補助電気単元に分配することを特徴とする請求項１記載の携帯式装置複合電気供給システム。
【請求項９】
該電源伝送単元は充電電極であることを特徴とする請求項８記載の携帯式装置複合電気供給システム。
【請求項１０】
該補助電気単元は充電池であることを特徴とする請求項８記載の携帯式装置複合電気供給システム。
【請求項１１】
該携帯式装置はＵＳＢアダプタを介して、該ＵＳＢ出力ポートに接続することを特徴とする請求項８記載の携帯式装置複合電気供給システム。
【請求項１２】
該携帯式装置は携帯電話機、携帯式端末機（ＰＤＡ），  ＣＤ／ＭＰ３再生機、パーム全地球測位システム（ＧＰＳ）、携帯式マルチメディア装置（Ｐｏｒｔａｂｌｅ  Ｍｕｌｔｉｍｅｄｉａ  Ｐｌａｙｅｒ，  ＰＭＰ）のいずれであることを特徴とする請求項１記載の携帯式装置複合電気供給システム。
【発明の詳細な説明】
【技術分野】
【０００１】
本発明は一種の携帯式装置複合電気供給システムであって、特に太陽エネルギーモジュールから電気を取り込むことができる、多種電源伝送インターフェースを備え、携帯電話機、携帯式端末機（ＰＤＡ），  ＣＤ／ＭＰ３再生機、パーム全地球測位システム（ＧＰＳ）、携帯式マルチメディア装置（Ｐｏｒｔａｂｌｅ  Ｍｕｌｔｉｍｅｄｉａ  Ｐｌａｙｅｒ，  ＰＭＰ）などに電気供給できる。
【背景技術】
【０００２】
電子科学技術の日進月歩に従い、携帯式電子製品はますます多様化する中、携帯電話機、携帯式端末機（ＰＤＡ），  ＣＤ／ＭＰ３再生機、デジタルカメラ、パーム全地球測位システム（ＧＰＳ）、携帯式マルチメディア装置（Ｐｏｒｔａｂｌｅ  Ｍｕｌｔｉｍｅｄｉａ  Ｐｌａｙｅｒ，  ＰＭＰ）様々な製品も次第に普及してきた。しかしながら、これらの携帯式電子装置のすべては電池を主要電源となっている。そして、当該携帯式電子装置内蔵の充電回路を内蔵電池に充電するため、メーカから当該機種の電源アダプタを提供し、交流の市電を携帯式電子装置の使用又は一定電圧の直流電気変換に備える。
【発明の開示】
【発明が解決しようとする課題】
【０００３】
しかしながら、当該電源アダプタは市電を引き込める場所の使用に限られているほか、該装置内蔵電池に充電する場合は、充電中は該電源アダプタ常に市電のコンセントに差し込まなければならない。このように、該携帯式装置は一カ所の充電に限られ、携帯の便利性はなお実現できない。さらに、利用者が複数の携帯式装置を所持するときは、各メーカの設計やモデルが異なることから、充電するには機種ごとにそれぞれの電源アダプタを揃わなければならない。よって、実用面から利用者にとって相当な不便が残る。
【課題を解決するための手段】
【０００４】
本発明人はこれを鑑みて、本発明は一種の携帯式装置複合電気供給システム、特に一種の太陽エネルギーモジュールを取込み、かつ、複数電源伝送インターフェースとの許容性を有し、携帯式装置電源用の電気供給システムに提供することにより、利用者はいずれの場面においても携帯式装置に必要な稼働電源が得られる電気供給システムを発明しました。
【０００５】
一種の複合電気供給システムを、随時に携帯式装置の必要電源を提供できる。内蔵の太陽エネルギー伝送モジュールは、利用者は光源を有するいずれの場所においても、光パワーを電気に変換できる。もし、光度不足により、太陽エネルギーから電気供給できないときは、補助電気により電気の不足分を補うことができる。よって、いずれの場面も携帯式装置に必要電源を提供できることを本発明の主な目的とする。
【０００６】
複合電気出力インターフェースを提供し、様々な電源伝送インターフェースを装備した携帯式装置に対応する。ユニーバーサールシリアルバス（Ｕｎｉｖｅｒｓａｌ  Ｓｅｒｉａｌ  Ｂｕｓ，  ＵＳＢ）伝送インターフェースなど、電源伝送機能を有し、データ伝送インターフェースを介して、携帯電話機、携帯式端末機（ＰＤＡ）、ＭＰ３再生機、パーム全地球測位システム（ＧＰＳ）、携帯式マルチメディア装置（Ｐｏｒｔａｂｌｅ  Ｍｕｌｔｉｍｅｄｉａ  Ｐｌａｙｅｒ，  ＰＭＰ）など、データ伝送インターフェースを備えた携帯式装置に電気提供することを本考案の次の目的とする。
【０００７】
光度の不足により、太陽エネルギーの電気供給を利用できないとき、本発明による補助電気単元の充電池をバックアップ電源の電気供給システムとして、電気の中断がないことを本考案さらなる一つの目的とする。
【０００８】
太陽エネルギー伝送モジュールにより、余剰電力を補助電気単元に分配し蓄電を行う。よって、光度が照射する場所であれば、電気供給システムの電気供給状態に拘わらず、光度が充分のとき、すなわち、電気供給システムの太陽エネルギー単元の発生電気が消費電力を上回るとき、余剰電力を充電池に保存して置き、電気の獲得、備蓄がより便利のほか、携帯式装置の電気供給時間を延長し、省エネ、環境保護の付属目的の実現を図ることを本考案また一つの目的とする。
本発明の詳細並びに技術は、図式と併せて、以下の通り詳細説明する。
【発明を実施するための最良の形態】
【０００９】
［実施例１］
本発明は一種の携帯式装置複合電気供給システムである。以下にて本発明の技術による好ましい実施例と図式と併せて、本発明の内容と技術を詳細説明する。
【００１０】
図１に、本発明による携帯式装置複合電気供給システムのブロック図を示す。本発明による携帯式装置複合電気供給システム１００において、少なくともＵＳＢ出力ポート１１０は、該電気供給システム１００から携帯式装置２００への出力ポートである。いずれのＵＳＢ（ユニーバーサールシリアルバス、ＵＳＢ）許容の伝送インターフェースを介して電気エネルギーを出力する。整流回路１２０は、該電気供給システム１００の入力及び出力電流の整合を提供し、該ＵＳＢ出力ポート１１０から、該携帯式装置２００に出力する電流を特定の出力電圧に保持する。該特定の出力電圧は、設計者の設定による。該整流回路に充電制御単元を設け、直流電気エネルギーを制御し、該補助電気エネルギーに充電する。過放電制御単元は、直流電気エネルギーが安全値を下回ったときに、該補助電気エネルギー単元の放電を中止させる。変圧単元は、直流電気エネルギーを安定な特定値に調節及び出力し、電圧調節の働きを有する。太陽エネルギー単元１３０を、該整流回路１２０に接続し、該電気供給システム１００の太陽エネルギーを電気エネルギーに変換する機能単元であり、太陽エネルギー電池である。電気伝送単元１４０を、該整流回路１２０に接続し、該電気供給システム１００内部の電流伝送用の機能単元である。補助電気エネルギー単元１５０を、該電気伝送単元１４０に接続し、電気を該電気伝送単元１４０に提供する補助電気である。さらに、取付具を、該複合電気供給システムに取付けることにより、該複合電気供給システムを各場所に取り付けて、太陽エネルギーを受け入れる。
【００１１】
さらに、前記の該整流回路１２０は該太陽エネルギー単元１３０及び該電気伝送単元１４０の両方に接続し、該電気供給システム１００の入出力電流を整合した上、該電気供給システム１００に安定の出力電圧を提供する目的から、下記２種類の充放電形態を形成する。
【００１２】
（イ）該太陽エネルギー単元１３０の取込み光度が弱いため、該整流回路１２０は該太陽エネルギー単元１３０の入力電圧が、該ＵＳＢ出力ポート１１０の該所定出力電圧を下回るときは、該補助電気単元１５０の電気を取り入れて、該所定の出力電圧を補う。この場合、該補助電気単元１５０は汎用のニッケル水素金属電池、イオン電池などの一次電池を取り付ける。それに伴い、該電源伝送単元１４０は放電電極として機能する。
【００１３】
（ロ）もし、該太陽エネルギー単元１３０の取込み光度が充分であれば、該整流回路１２０は該太陽エネルギー単元１３０からの入力電圧は、該ＵＳＢ出力ポート１１０の該所定出力電圧を上回るとき、電気を電気伝送単元１４０から該補助電気単元１５０に分配し蓄電を行う。このとき、該補助電気単元１５０は蓄電機能の充電池を取り付ける。このとき、該電気伝送単元１４０は充電電極として機能する。
【００１４】
引き続き、本発明による携帯式装置複合電気供給システム電気回路の構成を簡  単に説明する。図２と３に、それぞれ本発明による携帯式装置複合電気供給システムの電気回路ブロック図と電気回路構成概略図を示す。該太陽エネルギー単元１３０を介して、太陽エネルギーを電気に変換した後、該整流回路１２０経由に電気を該ＵＳＢ出力ポート１１０より所定の電圧にて携帯式装置２００に伝送する。該整流回路１２０は該太陽エネルギー単元１３０及び該補助電気単元１５０にそれぞれ接続し、該電気供給システム１００に出入力電流を提供するほか、該電気供給システム１００に安定の出力電圧を提供するため、該太陽エネルギー単元１３０の取込み光度が弱いため、該整流回路１２０の該太陽エネルギー単元１３０の入力電圧が該ＵＳＢ出力ポート１１０の所定出力電圧を下回るとき、該補助電気単元１５０の電気を取り入れて、該所定の出力電圧を補う。もし、該太陽エネルギー単元１３０の取込み光度が充分であれば、該整流回路１２０の該太陽エネルギー単元１３０の入力電圧が該ＵＳＢ出力ポート１１０の所定出力電圧を上回るとき、電気を該補助電気単元１５０に分配し該補助電気単元の１５０蓄電を行う。
【００１５】
本発明による整流回路１２０はさらに、充電制御単元（Ｃｈａｒｅｇｅ  Ｃｏｎｔｒｏｌｌｅｒ）、過放電制御単元（Ｏｖｅｒ  ｄｉｓｃｈａｒｅｇｅ  Ｃｏｎｔｒｏｌｌｅｒ）及び変圧単元（ＤＣ−ＤＣ  ｃｏｎｖｅｒｔｅｒ）を含める。そのうち、該充電制御単元は直流電気エネルギーＤＣを制御し、補助電気エネルギー単元１５０に充電する。一方、過放電制御単元は、直流電気エネルギーＤＣが所定の安全値を下回るときに、補助電気エネルギー単元１５０への電気供給を中止し、補助電気エネルギー単元１５０を保護する。また、変圧単元は、直流電気エネルギーＤＣを特定値に安定させ、調節機能を果たす。整流回路１２０はさらに、サージ波を吸収するフィルタ装置を設け、該補助電気単元１５０の電源切換えサージ波による破損を防止する。
【００１６】
続いて、図４に本発明による携帯式装置複合電気供給システムの操作概略図を示す。本発明の複合電気供給システム１００は、複合電気入力インターフェース、太陽エネルギー単元１３０及び補助電気単元１５０を含める。該太陽エネルギー単元１３０のソーラーパネルにより該太陽エネルギーを取込み、電気エネルギーに変換して、該電気供給システム１００の主要電源として提供する。さらに、該ＵＳＢ出力ポート１１０を介して、所定電圧の電気を携帯電話機、携帯式端末機（ＰＤＡ），  ＣＤ／ＭＰ３再生機、パーム全地球測位システム（ＧＰＳ）、携帯式マルチメディア装置（Ｐｏｒｔａｂｌｅ  Ｍｕｌｔｉｍｅｄｉａ  Ｐｌａｙｅｒ，  ＰＭＰ）などの携帯式装置２００に出力する。本発明はさらに、一種の複合電気入力インターフェースを提供する。イ  もし、該太陽エネルギー単元１３０の取込み光度が弱いため、該ＵＳＢ出力ポート１１０の該所定出力電圧を下回るときは、該補助電気単元１５０の電池放電を通じて、該所定の出力電圧を補うことができる。ロ  もし、該太陽エネルギー単元１３０の取込み光度が充分のとき、すなわち、該太陽エネルギー単元１３０からの入力電圧は、該ＵＳＢ出力ポート１１０の該所定出力電圧を上回るとき、電気を該補助電気単元１５０の充電池に分配し蓄電を行う。
【００１７】
このほか、本発明の複合電気供給システム１００にクリップ又は粘着部材を設けて、複合電気供給システム１００を様々な場所（利用者の衣服又はその他装置（車両など）に取り付けて、太陽エネルギーを取り入れることができる。複合電気供給システム１００に手動加熱装置（ハンドダイモ又は往復操作による摩擦熱）を設けて、利用者は曇り又は太陽エネルギーが不足するとき、手動方式による充電ができる。
【００１８】
そして、太陽エネルギー単元１３０表面に等間隔を置いた若干個の突起粒子を設け、突起粒子表面の円弧状をもって、太陽光束を集めて（凸面レンズ集光原理）、充電速度を向上する。
本発明による複合電気供給システム１００は、さらに、表示単元を設け、該表示単元に、複合電気供給システム１００の稼働状態（充電中、電気供給中、電力低下、余剰電力など）を表示し、利用者に知らせることができる。
【００１９】
このほか、本発明による複合電気供給システム１００は、一種の太陽エネルギーを電気エネルギーに変換する装置のため、熱エネルギーを放出すると、充電効率も低下する。このため、本発明による複合電気供給システム１００のソーラーパネル１３０の熱放出を遅らせるため、上部だけを残して、外部に発泡スチレンなど高熱吸収、低熱放出部材を周りに覆うか、又は複合電気供給システム１００を二酸化炭素雰囲気の密閉空間に取付けて、二酸化炭素の温室効果（熱吸収が高く、熱排出が低い）を利用することにより、熱放出を軽減できる。
【００２０】
よって、本発明による複合電気供給システムは、複合電気入力インターフェースを備えるほか、電気備蓄用の充電池を有する。さらに、本体構造がコンパクトで、利用者の携帯が極めて便利である。さらに、本発明による複合電気供給システムは、ソーラーパネルを介して、太陽エネルギーを随時に取込み、又はモジュール内部の充電池より補助電気又はバックアップ電気を提供できる。そこで、太陽エネルギーが充分のとき、システムの充電池に電気を蓄積して、携帯式装置の電源供給がより便利になる。電気の取込み、備蓄、供給について、多種のインターフェース許容性があるため、省エネ、環境対策の付属目的を実現できる。
【００２１】
本発明は前記の好ましい実施例でもって説明したが、これらの説明は本発明になんらの制限を加わるものではない。この種の技術を熟知する者は、本発明の精神と範囲を逸脱しない程度による変更と修飾によって実施可能である。よって、本発明の特許請求範囲は本発明の請求書に記載する特許請求範囲によるものとする。
【図面の簡単な説明】
【００２２】
【図１】本発明による携帯式装置複合電気供給システムブロック図である。
【図２】本発明による携帯式装置複合電気供給システム回路ブロック図である。
【図３】本発明による携帯式装置複合電気供給システム回路の概略図である。及び
【図４】本発明による携帯式装置複合電気供給システム操作概略図である。
【符号の説明】
【００２３】
１００    電気供給システム
１１０    ＵＳＢ入力ポート
１２０    整流回路
１３０    太陽エネルギー単元
１４０    電気伝送単元
１５０    補助電気エネルギー単元
２００    携帯式装置
【図１】
2009523399.tif 000003
【図２】
2009523399.tif 000004
【図３】
2009523399.tif 000005
【図４】
2009523399.tif 000006
【国際調査報告】
2009523399.tif 000007
2009523399.tif 000008
2009523399.tif 000009
2009523399.tif 000010